(57)【特許請求の範囲】
【請求項１】
外カップと、前記外カップの内側に配置された内カップとが、筒状の胴部及び前記胴部の一端を塞ぐ底部をそれぞれ有するとともに互いに組み合わされた二重カップにおいて、
前記内カップの前記胴部の外周面に設けられた差し込み部と、前記外カップに設けられ、前記外カップの前記胴部の内側から外側に向かって当該胴部を貫くように前記差し込み部が差し込まれ、かつ差し込まれた前記差し込み部を保持できる保持部と、を備え、
前記外カップと前記内カップとは、前記保持部に前記差し込み部が差し込まれた状態で組み合わされており、
前記外カップの前記胴部は、筒状に丸められた所定形状のブランクの両端部が重ね合わされた状態で一部を残して貼り合わされた胴貼り部を有し、
前記胴貼り部の前記一部が前記保持部として利用されていることを特徴とする二重カップ。
【請求項２】
外カップと、前記外カップの内側に配置された内カップとが、筒状の胴部及び前記胴部の一端を塞ぐ底部をそれぞれ有するとともに互いに組み合わされた二重カップにおいて、
前記内カップの前記胴部の外周面に設けられた差し込み部と、前記外カップに設けられ、前記外カップの前記胴部の内側から外側に向かって当該胴部を貫くように前記差し込み部が差し込まれ、かつ差し込まれた前記差し込み部を保持できる保持部と、を備え、
前記外カップと前記内カップとは、前記保持部に前記差し込み部が差し込まれた状態で組み合わされており、
前記保持部として、前記外カップの前記胴部を貫くスリットが設けられ、
前記内カップは、その高さ方向の上端部が外側に丸められたカール部を有し、
前記差し込み部は、前記内カップの上下方向に延びており、
前記外カップと前記内カップとは、前記差し込み部が前記スリットに差し込まれて前記外カップの前記胴部の外側に露出した状態で、その露出した部分が前記内カップの上下方向の上方に折り曲げられて前記カール部と前記外カップの前記胴部との間に差し込まれることにより、組み合わされていることを特徴とする二重カップ。
【請求項３】
外カップと、前記外カップの内側に配置された内カップとが、筒状の胴部及び前記胴部の一端を塞ぐ底部をそれぞれ有するとともに互いに組み合わされた二重カップにおいて、
前記内カップの前記胴部の外周面に設けられた差し込み部と、前記外カップに設けられ、前記外カップの前記胴部の内側から外側に向かって当該胴部を貫くように前記差し込み部が差し込まれ、かつ差し込まれた前記差し込み部を保持できる保持部と、を備え、
前記外カップと前記内カップとは、前記保持部に前記差し込み部が差し込まれた状態で組み合わされており、
前記保持部として、前記外カップの前記胴部を貫くスリットが設けられ、
前記差し込み部は、前記内カップの上下方向の下方へ傾く方向に延びており、
前記スリットは、前記外カップの上下方向に延びていることを特徴とする二重カップ。
【請求項４】
外カップと、前記外カップの内側に配置された内カップとが、筒状の胴部及び前記胴部の一端を塞ぐ底部をそれぞれ有するとともに互いに組み合わされた二重カップにおいて、
前記内カップの前記胴部の外周面に設けられた差し込み部と、前記外カップに設けられ、前記外カップの前記胴部の内側から外側に向かって当該胴部を貫くように前記差し込み部が差し込まれ、かつ差し込まれた前記差し込み部を保持できる保持部と、を備え、
前記外カップと前記内カップとは、前記保持部に前記差し込み部が差し込まれた状態で組み合わされており、
前記保持部として、前記外カップの前記胴部を貫くスリットが設けられ、
前記スリットは、前記外カップの前記胴部の上下方向に延びており、かつその下端には前記外カップの前記胴部に形成されて下方に延びる切り込みが設けられていることを特徴とする二重カップ。
【請求項５】
前記差し込み部には、その外方に突出する突出部が設けられていることを特徴とする請求項２〜４のいずれか一項に記載の二重カップ。
【発明の詳細な説明】
【技術分野】
【０００１】
本発明は、外カップとその内側に配置された内カップとが組み合わされた二重カップに関する。
【背景技術】
【０００２】
紙又はプラスチックを素材とした内カップと外カップとを、その内カップの底部の下方に閉空間が形成されるように組み合わせた二重カップが広く知られている。内カップと外カップとを組み合わせる際にはホットメルト系やエマルジョン系の接着剤にてこれらを接着することが行われている（例えば、特許文献１）。
【０００３】
【特許文献１】特開２００７−１１８９９７号公報
【発明の開示】
【発明が解決しようとする課題】
【０００４】
外カップと内カップとを組み合わせるために接着剤を使用する場合には、接着剤の特性に配慮することが必要である。例えば、接着剤としてホットメルト系の接着剤を用いる場合には、接着剤の塗布に使用するノズルの詰まり、垂れ、糸引き等の問題が発生することがある。そのような問題の発生を極力抑え又はその問題をその都度解決するには生産効率の悪化を招いたりコスト高を招くおそれがある。
【０００５】
そこで、本発明は、接着剤を使用せずに外カップと内カップとを組み合わせることが可能な二重カップを提供することを目的とする。
【課題を解決するための手段】
【０００６】
以下、本発明の二重カップについて説明する。なお、本発明の理解を容易にするために添付図面の参照符号を括弧書きにて付記するが、それにより本発明が図示の形態に限定されるものではない。
【０００７】
本発明の第１の二重カップは、外カップ（２）と、前記外カップの内側に配置された内カップ（３）とが、筒状の胴部（４、６）及び前記胴部の一端を塞ぐ底部（５、７）をそれぞれ有するとともに互いに組み合わされた二重カップ（１Ｃ）において、前記内カップの前記胴部の外周面に設けられた差し込み部（３１）と、前記外カップに設けられ、前記外カップの前記胴部の内側から外側に向かって当該胴部を貫くように前記差し込み部が差し込まれ、かつ差し込まれた前記差し込み部を保持できる保持部（３０Ｂ）と、を備え、前記外カップと前記内カップとは、前記保持部に前記差し込み部が差し込まれた状態で組み合わされており、前記外カップの前記胴部は、筒状に丸められた所定形状のブランク（４′）の両端部（４ａ′）が重ね合わされた状態で一部（３０Ｂ）を残して貼り合わされた胴貼り部（３０）を有し、前記胴貼り部の前記一部が前記保持部として利用されていることにより、上述した課題を解決する。
【０００８】
第１の二重カップによれば、外カップと内カップとが、内カップに設けられた差し込み部が外カップに設けられた保持部に差し込まれた状態で組み合わされる。差し込み部は保持部にて保持されるので、外カップと内カップとが組み合わされた状態を接着剤を使用せずに維持できる。しかも、外カップの胴部を貫くスリットを保持部として形成するものではないから、外カップの胴部の強度低下を防止できる。
【０００９】
本発明の第２の二重カップは、外カップ（２）と、前記外カップの内側に配置された内カップ（３）とが、筒状の胴部（４、６）及び前記胴部の一端を塞ぐ底部（５、７）をそれぞれ有するとともに互いに組み合わされた二重カップ（１Ｂ）において、前記内カップの前記胴部の外周面に設けられた差し込み部（２１）と、前記外カップに設けられ、前記外カップの前記胴部の内側から外側に向かって当該胴部を貫くように前記差し込み部が差し込まれ、かつ差し込まれた前記差し込み部を保持できる保持部（２０）と、を備え、前記外カップと前記内カップとは、前記保持部に前記差し込み部が差し込まれた状態で組み合わされており、前記保持部として、前記外カップの前記胴部を貫くスリット（２０）が設けられ、前記内カップは、その高さ方向の上端部が外側に丸められたカール部（８）を有し、前記差し込み部は、前記内カップの上下方向に延びており、前記外カップと前記内カップとは、前記差し込み部が前記スリットに差し込まれて前記外カップの前記胴部の外側に露出した状態で、その露出した部分が前記内カップの上下方向の上方に折り曲げられて前記カール部と前記外カップの前記胴部との間に差し込まれることにより、組み合わされていることで、上述した課題を解決する。
【００１０】
第２の二重カップによれば、外カップと内カップとが、内カップに設けられた差し込み部が外カップに設けられた保持部に差し込まれた状態で組み合わされる。差し込み部は保持部にて保持されるので、外カップと内カップとが組み合わされた状態を接着剤を使用せずに維持できる。しかも、差し込み部が上方に折り曲げられてカール部と胴部との間に差し込まれているため、組み合わされた外カップと内カップとが一層分離しにくくなる。
【００１１】
本発明の第３の二重カップは、外カップ（２）と、前記外カップの内側に配置された内カップ（３）とが、筒状の胴部（４、６）及び前記胴部の一端を塞ぐ底部（５、７）をそれぞれ有するとともに互いに組み合わされた二重カップ（１Ａ）において、前記内カップの前記胴部の外周面に設けられた差し込み部（１１′）と、前記外カップに設けられ、前記外カップの前記胴部の内側から外側に向かって当該胴部を貫くように前記差し込み部が差し込まれ、かつ差し込まれた前記差し込み部を保持できる保持部（１０）と、を備え、前記外カップと前記内カップとは、前記保持部に前記差し込み部が差し込まれた状態で組み合わされており、前記保持部として、前記外カップの前記胴部を貫くスリット（１０）が設けられ、前記差し込み部は、前記内カップの上下方向の下方へ傾く方向に延びており、前記スリットは、前記外カップの上下方向に延びていることにより、上述した課題を解決する。
【００１２】
第３の二重カップによれば、外カップと内カップとが、内カップに設けられた差し込み部が外カップに設けられた保持部に差し込まれた状態で組み合わされる。差し込み部は保持部にて保持されるので、外カップと内カップとが組み合わされた状態を接着剤を使用せずに維持できる。しかも、スリットに差し込み部を差し込む過程で、ネジのように内カップが外カップの内側にねじ込まれるため、スリットとの間に所定の摩擦力が生じた状態で外カップと内カップとを組み合わせておくことができる。これにより、一層強固にこれらのカップを組み合わせることができる。
【００１３】
本発明の第４の二重カップは、外カップ（２）と、前記外カップの内側に配置された内カップ（３）とが、筒状の胴部（４、６）及び前記胴部の一端を塞ぐ底部（５、７）をそれぞれ有するとともに互いに組み合わされた二重カップ（１Ａ）において、前記内カップの前記胴部の外周面に設けられた差し込み部（１１）と、前記外カップに設けられ、前記外カップの前記胴部の内側から外側に向かって当該胴部を貫くように前記差し込み部が差し込まれ、かつ差し込まれた前記差し込み部を保持できる保持部（１０）と、を備え、前記外カップと前記内カップとは、前記保持部に前記差し込み部が差し込まれた状態で組み合わされており、前記保持部として、前記外カップの前記胴部を貫くスリット（１０）が設けられ、前記スリットは、前記外カップの前記胴部の上下方向に延びており、かつその下端には前記外カップの前記胴部に形成されて下方に延びる切り込み（１８）が設けられていることにより、上述した課題を解決する。
【００１４】
第４の二重カップによれば、外カップと内カップとが、内カップに設けられた差し込み部が外カップに設けられた保持部に差し込まれた状態で組み合わされる。差し込み部は保持部にて保持されるので、外カップと内カップとが組み合わされた状態を接着剤を使用せずに維持できる。しかも、スリットに差し込み部を差し込んだ状態で、差し込み部を下方に移動させて切り込みに食い込ませることにより、差し込み部を一層抜けにくくすることが可能になる。これら第２〜第４の二重カップにおいて、前記差し込み部には、その外方に突出する突出部（１６）が設けられていてもよい。これにより、突出部がスリットの端部に引っ掛かるので、差し込まれた差し込み部がスリットから抜けにくくなる。なお、第２〜第４の二重カップにおいて、スリットは、差し込み部の大きさに対応しており、差し込み部が安易に抜けずに保持できる寸法を有している。
【発明の効果】
【００１５】
以上説明したように、本発明によれば、差し込み部が保持部にて保持されるので、外カップと内カップとが組み合わされた状態を接着剤を使用せずに維持できる。
【発明を実施するための最良の形態】
【００１６】
（第１の形態）
図１及び図２は本発明の二重カップの一形態を示し、図１は二重カップの外観を示した正面図、図２は図１のII−II線に沿った部分断面図である。これらの図に示すように、二重カップ１Ａは、外カップ２と、この外カップ２の内側に配置された内カップ３とを有し、これらのカップ２、３が互いに組み合わされている。外カップ２及び内カップ３のそれぞれは、少なくとも内面側がポリエチレン等の被覆層で覆われた紙を素材として逆円錐台形状に成形された紙カップとして構成されている。外カップ２は内カップ３よりも高さが高く、外カップ２は筒状の胴部４と、その胴部４の一端を塞ぐ底部５とを有している。内カップ３は外カップ２と同様に筒状の胴部６と、その胴部６の一端を塞ぐ底部７とを有している。内カップ３はその胴部６の上端部が外側に丸められたカール部８が形成されている。これらのカップ２、３はいずれも周知の紙カップの製造方法にて製造されている。即ち、外カップ２の胴部４と底部５とは熱圧着にて相互に接着され、内カップ３の胴部６と底部７とは熱圧着にて相互に接着されている。
【００１７】
外カップ２と内カップ３とは、外カップ２に設けられた保持部としてのスリット１０に、内カップ３に設けられた差し込み部１１が差し込まれた状態で相互に組み合わされている。差し込み部１１は外カップ２の胴部４の内側から外側に向かってスリット１０に差し込まれる。スリット１０は外カップ２の胴部４を貫き、かつ外カップ２の上下方向に延びている。スリット１０の上下方向の寸法は、スリット１０に差し込まれた差し込み部１１が安易に抜けずに保持できるように、差し込み部１１よりも若干大きく設定されている。差し込み部１１は内カップ３の胴部６の一部が切り抜かれることにより構成されており、胴部６の周方向に延びている。なお、図１に全て図示されていないが、これらのスリット１０及び差し込み部１１は二重カップ１Ａの周方向に等間隔に４組設けられている。即ち、スリット１０と差し込み部１１との組は９０度間隔で設けられていて、外カップ２と内カップ３との組み合わせが強化されている。但し、スリット１０及び差し込み部１１は少なくとも１組あればよくその数に制限はない。もっとも、これらを複数組設ける場合にそれらの間隔を等間隔にすることにより、スリット１０による差し込み部１１の保持を周方向に関して均一化できる。なお、スリット１０に差し込まれた差し込み部１１がスリット１０から一層抜けにくくなるように、スリット１０から外部に露出した差し込み部１１の部分を胴部４の外周面に接着剤にて接着してもよい。
【００１８】
このようにして、外カップ２と内カップ３とが組み合わされることにより、外カップ２と内カップ３との間には、外カップ２の胴部４と外カップ２の底部５と内カップ３の底部７とによって囲まれた閉空間Ｓ１が形成される。
【００１９】
二重カップ１Ａは、閉空間Ｓ１と内カップ３の内部空間Ｓ２とに所定の物品がそれぞれ収容され、かつ内カップ３の開口部が蓋部材９にて塞がれた状態で、包装容器として使用される。これらの空間Ｓ１、Ｓ２に収容可能な物品に特段の制限はないが、互いに相違する物品をこれらの空間Ｓ１、Ｓ２に収容してよい。例えば、閉空間Ｓ１に模型等の非食品である景品を、内部空間Ｓ２に菓子等の食品をそれぞれ収容できる。
【００２０】
図１に示すように、二重カップ１Ａは、外カップ２と内カップ３とが組み合わされた状態を維持しつつ閉空間Ｓ１に収容された物品を取り出すことができるように、閉空間Ｓ１を開封する易開封部１２が外カップ３の胴部４を一巡するようにして設けられている。易開封部１２は、胴部４の周方向に並ぶ多数の切り込みが上下二列に配置された周知のジッパーとして構成されている。
【００２１】
以上の二重カップ１Ａによれば、スリット１０に差し込み部１１が差し込まれ、その差し込み部１１がスリット１０にて保持される。これにより、外カップ２と内カップ３とが組み合わされた状態を接着剤を使用せずに維持することができる。
【００２２】
（第２の形態）
次に、本発明の第２の形態を図３及び図４を参照しながら説明する。図３は第２の形態に係る二重カップの外観を示した正面図、図４は図３のIV−IV線に沿った部分拡大断面図である。第２の形態は本発明に係る差し込み部及び保持部の形態に特徴があり、その他の形態は第１の形態と共通である。従って、以下、その特徴部分について説明し、第１の形態との共通部分については図３及び図４に同一の符号を付して説明を省略する。
【００２３】
図３及び図４に示すように、二重カップ１Ｂは保持部としてのスリット２０と、そのスリット２０に差し込まれる差し込み部２１とを有している。スリット２０は外カップ２の胴部４に設けられていて、その胴部４を貫いて周方向に延びている。差し込み部２１は内カップ３の胴部６の一部が切り抜かれることにより構成されており、胴部６の上下方向に延びている。スリット２０の周方向の寸法は、スリット２０に差し込まれた差し込み部２１が安易に抜けずに保持できるように、差し込み部２１よりも若干大きく設定されている。
【００２４】
図４に示すように、外カップ２と内カップ３とは、差し込み部２１がスリット２０に差し込まれて外カップ３の胴部４の外側に露出した状態で、その露出した部分が内カップ３の上下方向の上方に折り曲げられてカール部８と外カップ２の胴部４との間に差し込まれることにより組み合わされている。なお、図３に全て図示されていないが、これらのスリット２０及び差し込み部２１は二重カップ１Ｂの周方向に等間隔に４組設けられている。即ち、スリット２０と差し込み部２１との組は９０度間隔で設けられていて、外カップ２と内カップ３とが強固に組み合わされている。但し、スリット２０及び差し込み部２１は少なくとも１組あればよくその数に制限はない。もっとも、これらを複数組設ける場合にそれらの間隔を等間隔にすることにより、スリット２０による差し込み部２１の保持を周方向に関して均一化できる。
【００２５】
二重カップ１Ｂによれば、第１の形態と同様に、外カップ２と内カップ３とが組み合わされた状態を接着剤を使用せずに維持することができる。しかも、差し込み部２１が上方に折り曲げられてカール部８と胴部４との間に差し込まれているため、組み合わされた外カップ２と内カップ３とが一層分離しにくくなる。
【００２６】
（第３の形態）
次に、本発明の第３の形態を図５〜図７を参照して説明する。図５は第３の形態に係る二重カップの外観を示した正面図、図６は図５のVI−VI線に沿った部分拡大断面図である。第３の形態は本発明に係る差し込み部及び保持部の形態に特徴があり、その他の形態は第１の形態と共通である。従って、以下、その特徴部分について説明し、第１の形態との共通部分については図５及び図６に同一の符号を付して説明を省略する。
【００２７】
図５及び図６に示すように、二重カップ１Ｃは保持部としての非接着部３０Ｂと、非接着部３０Ｂに差し込まれる差し込み部３１とを有している。非接着部３０Ｂは胴貼り部３０の一部を構成する。図７は外カップ２の胴部４の完成前の状態を示した説明図である。図７に示すように、胴部４は所定形状である扇形状の輪郭が与えられたブランク４′を筒状に丸めることにより構成されている。筒状に丸めたブランク４′の両端部４ａ′、４ａ′を重ね合わせた状態で、これらを相互に貼り合わせることにより胴貼り部３０（図５）が形成される。ブランク４′の両端部４ａ′、４ａ′を貼り合わせる際には、ハッチングで示した部分のみを貼り合わせている。なお、これらの貼り合わせは周知の熱圧着にて実施される。これにより、胴貼り部３０にはハッチングで示した接着部３０Ａと、残りの非接着部３０Ｂとが形成される。非接着部３０Ｂは接着されていないため、僅かな隙間が胴部４に形成されることになる。
【００２８】
図５及び図６に示すように、非接着部３０Ｂのその隙間に内カップ３に設けられた差し込み部３１が差し込まれ、差し込み部３１が非接着部３０Ｂにて保持される。これによって、非接着部３０Ｂは本発明に係る保持部として利用されることになる。非接着部３０Ｂの寸法は、差し込み部３１の寸法に対応するように設定される。即ち、非接着部３０Ｂに差し込まれた差し込み部３１が安易に抜けないようにその寸法が設定されている。
【００２９】
図８は、内カップ３の胴部６の完成前の状態を示した説明図である。図８に示すように、胴部６は所定の輪郭が与えられたブランク６′を筒状に丸めることにより構成され、そのブランク６の両端部６ａ′、６ａ′はハッチングで示した部分が相互に貼り合わされる。その貼り合わせによって、胴部６には胴貼り部１３が形成される。一方（図８の左側）の端部６ａ′には、その所定位置から差し込み部３１が延びている。ブランク６′は差し込み部３１を含んだ形状で一体的に打ち抜かれている。
【００３０】
二重カップ１Ｃによれば、第１の形態と同様に、外カップ２と内カップ３とが組み合わされた状態を接着剤を使用せずに維持することができる。二重カップ１Ｃは外カップ２の胴部４を貫くスリットを形成するものではないから、外カップ２の胴部４の強度低下を防止できる。更に、二重カップ１Ｃは、差し込み部３１が内カップ３の胴部６のブランク６′と一体的に形成されているので、第１の形態のように胴部６の一部を切り抜いて差し込み部１１を作成する場合に比べて、胴部６の強度低下を抑制できる利点がある。
【００３１】
本発明は以上の各形態に限定されず、本発明の要旨の範囲内で種々の形態にて実施できる。差し込み部は内カップの外周面に設けられていれば十分であり、第１〜第３の各形態に限定されるものではない。図９は第１の形態の変形例を示した正面図である。図９に示すように、差し込み部１１′が内カップ３の上下方向の下方に傾く方向に延びていてもよい。図９の場合には、スリット１０に差し込み部１１′を差し込む過程で、ネジのように内カップ３が外カップ２の内側にねじ込まれるため、スリット１０との間に所定の摩擦力が生じた状態で外カップ２と内カップ３とを組み合わせておくことができる。これにより、一層強固にこれらのカップ２、３を組み合わせることができる。
【００３２】
図１０及び図１１は差し込み部の変形例を示した説明図であり、図１０は第１の形態に適用された差し込み部の変形例を、図１１は図９に示した形態に適用された差し込み部の変形例をそれぞれ示している。図１０に示すように、この差し込み部１１にはその外方へ突出する突出部１６が設けられている。突出部１６は差し込み部１１の先端に向かって滑らかに傾斜して差し込み部１１に続く一方で、反対側は差し込み部１１に対して直交又は鋭角に差し込み部に続いている。これにより、差し込み部１１をスリット１０に差し込みやすくなる一方で、スリット１０から差し込み部１１が抜けにくくなる。また、図１１に示すように、差し込み部１１′の上方に突出部１６を設けることもできる。図１１の場合には、内カップ３が外カップ２から離れる方向にずれると、突出部１６がスリット１０の端部に食い込むことになるので、外カップ２と内カップ３との組み合わせがより一層強固なものとなる。なお、図１０の形態は第２又は第３の形態に適用することもできる。
【００３３】
本発明に係る保持部の形態は上述した各形態に限定されるものではない。図１２及び図１３は保持部の変形例を示した説明図であり、図１２は第１の形態に適用された第１の変形例を、図１３は第１の形態に適用された第２の変形例をそれぞれ示している。図１２に示すように、スリット１０の下端１０ａには胴部４の下方に延びる切り込み１８が設けられている。それにより、スリット１０に差し込み部１１を差し込んだ状態で、差し込み部１１を矢印で示した下方に移動させて切り込み１８に食い込ませることにより、差し込み部１１を一層抜けにくくすることが可能になる。切り込み１８の角度は任意であり、図１３のように、切り込み１８を、差し込み部１１の先端から離れる方向の斜め下方に延ばすこともできる。
【００３４】
なお、これらの変形例では、図１２及び図１３の想像線で示すように差し込み部１１を切り込み１８に食い込ませた際に外カップ２の上端が内カップ３のカール部８に突き当たるように、スリット１０、切り込み１８及び差し込み部１１の上下方向の位置が設定されている。
【００３５】
本発明に係る保持部又は差し込み部は、上述した各形態のように外カップや内カップと一体に設けられてもよいが、これらを外カップや内カップと別部品として設け、適宜の手段でこれらの部品を外カップや内カップに取り付けても構わない。
【００３６】
以上の各形態において易開封部１２を設けることは任意であって、その易開封部１２を省略してもよい。この場合には、差し込み部の差し込み方向と反対方向に内カップ３を捻ることにより（図３の形態では内カップ３を上方へ引っ張ることにより）、外カップ２と内カップ３とを分離して、閉空間Ｓ１に収容された物品を取り出すことができる。易開封部１２が省略されることにより、外カップ２から易開封部１２が引き剥がされてゴミとなることがなく、また易開封部１２の形成に伴う外カップ２の強度低下を回避できる。
【００３７】
なお、以上の各形態では、内カップと外カップとを組み合わせた二重容器を例示したが、本発明の技術的思想が実現される限り、例えば内カップの内側に更にカップを配置して、三又はそれ以上のカップを重ね合わせた形態を本発明の技術的範囲から排除するものではない。
【図面の簡単な説明】
【００３８】
【図１】第１の形態に係る二重カップの外観を示した正面図。
【図２】図１のII−II線に沿った部分断面図。
【図３】第２の形態に係る二重カップの外観を示した正面図。
【図４】図３のIV−IV線に沿った部分拡大断面図。
【図５】第３の形態に係る二重カップの外観を示した正面図。
【図６】図５のVI−VI線に沿った部分拡大断面図。
【図７】図５に示す外カップの胴部の完成前の状態を示した説明図。
【図８】図５に示す内カップの胴部の完成前の状態を示した説明図。
【図９】第１の形態の変形例を示した正面図。
【図１０】第１の形態に適用された差し込み部の変形例を示した説明図。
【図１１】図９に示した形態に適用された差し込み部の変形例を示した説明図。
【図１２】第１の形態に適用された保持部の第１の変形例を示した説明図。
【図１３】第１の形態に適用された保持部の第２の変形例を示した説明図。
【符号の説明】
【００３９】
１Ａ〜１Ｃ  二重カップ
２  外カップ
３  内カップ
４、６  胴部
４′  ブランク
５  底部
６  胴部
７  底部
８  カール部
１０、２０  スリット（保持部）
１１、１１′、２１、３１  差し込み部
１８  切り込み
３０  胴貼り部
３０Ｂ  非接着部（胴貼り部の一部、保持部）
【図１】
0005056280.tif 000002
【図２】
0005056280.tif 000003
【図３】
0005056280.tif 000004
【図４】
0005056280.tif 000005
【図５】
0005056280.tif 000006
【図６】
0005056280.tif 000007
【図７】
0005056280.tif 000008
【図８】
0005056280.tif 000009
【図９】
0005056280.tif 000010
【図１０】
0005056280.tif 000011
【図１１】
0005056280.tif 000012
【図１２】
0005056280.tif 000013
【図１３】
0005056280.tif 000014